(57)【特許請求の範囲】
【請求項１】
互いに異なる搬送手段上を搬送されてくる複数の種類の用紙を順次重ね合わせて搬送し、１つの封筒に封入する用紙の全てが重なり合わされた後、該用紙を前記封筒に封入する封入・封緘方法において、
前記複数の種類の用紙を重ね合わせる際に前記用紙の種類毎に前記用紙を所定量だけずらして重ね合わせ、
１つの封筒に封入する用紙の全てが重なり合わされた後、前記所定量に基づいて決められる少なくとも１つの位置における用紙の厚みを検出し、
前記検出された厚みが、前記１つの封筒に封入する用紙に対して予め管理されている厚みと同一である場合にのみ、前記用紙を前記封筒に封入することを特徴とする封入・封緘方法。
【請求項２】
請求項１に記載の封入・封緘方法において、
前記重ね合わされる用紙の少なくとも１つに、前記１つの封筒に封入する用紙を管理するための管理番号を記載し、
前記１つの封筒に封入する用紙の全てが重なり合わされた後、前記管理番号を読み取り、
前記検出された厚みが、前記読み取られた管理番号に対応して予め管理されている厚みと同一である場合にのみ、前記用紙を前記封筒に封入することを特徴とする封入・封緘方法。
【請求項３】
請求項１または請求項２に記載の封入・封緘方法において、前記１つの封筒に封入される用紙のうち少なくとも１つは、所定の決済の利用明細書であり、少なくとも１つは前記利用明細書の送付先を示す宛先情報が記載された用紙であることを特徴とする封入・封緘方法。
【請求項４】
互いに異なる種類の用紙が搬送されてくる複数の第１の搬送手段と、前記複数の第１の搬送手段上を搬送されてきた用紙を順次重ね合わせて搬送する第２の搬送手段と、前記用紙が封入される封筒が搬送されてくる第３の搬送手段と、前記第３の搬送手段上を搬送されてきた封筒に前記第２の搬送手段上を互いに重ね合わされた状態で搬送されてきた前記用紙を封入する封入手段とを少なくとも有してなる封入・封緘システムにおいて、
前記第２の搬送手段上に設けられ、前記用紙を重ね合わせる際に前記用紙の種類毎に前記用紙を所定量だけずらして重ね合わせる移載位置制御手段と、
１つの封筒に封入する用紙の全てが重なり合わされた後、前記所定量に基づいて決められる位置における用紙の厚みを検出する少なくとも１つの検出手段と、
前記１つの封筒に封入する用紙の厚みを予め管理し、前記検出手段にて検出された厚みが、前記管理されている厚みと同一である場合にのみ、前記用紙を前記封筒に封入するように前記封入手段を制御する管理手段とを有することを特徴とする封入・封緘システム。
【請求項５】
請求項４に記載の封入・封緘システムにおいて、
前記重ね合わされる用紙の少なくとも１つに、前記１つの封筒に封入する用紙を管理するための管理番号が記載されており、
前記１つの封筒に封入する用紙の全てが重なり合わされた後、前記管理番号を読み取る読取手段を有し、
前記管理手段は、前記管理番号に対応づけて用紙の厚みを予め管理し、前記検出手段にて検出された厚みが、前記管理番号に対応づけて管理されている厚みと同一である場合にのみ、前記用紙を前記封筒に封入するように前記封入手段を制御することを特徴とする封入・封緘システム。
【請求項６】
請求項４または請求項５に記載の封入・封緘システムにおいて、
前記１つの封筒に封入される用紙のうち少なくとも１つは、所定の決済の利用明細書であり、少なくとも１つは前記利用明細書の送付先を示す宛先情報が記載された用紙であることを特徴とする封入・封緘システム。
【発明の詳細な説明】
【０００１】
【発明の属する技術分野】
本発明は、クレジットカードや公共サービス等の利用明細書を封筒に封入・封緘する封入・封緘方法及び封入・封緘システムに関する。
【０００２】
【従来の技術】
クレジットカードを用いて商品を購入したりサービス等を利用したりした場合、その代金は、利用者が指定する口座から後日引き落とされることになる。このため、利用者にとっては、現金を所持することなくショッピング等を行うことができることになり、クレジットカードの利用数は増加の一途を辿っている。
【０００３】
クレジットカードを利用した場合、その利用明細が記載された利用明細書がクレジットカード会社から利用者に送付される。この利用明細書には、利用者が利用したショッピング等の内容やその代金、口座から代金が引き落とされる日等が記載されており、利用者はこの利用明細書を受け取ることにより、クレジットカードの利用内容や利用代金等を確認している。
【０００４】
また、公共サービス等においては、その利用代金は、上述したようなクレジットカードを利用した場合と同様に、利用者が指定する口座から後日引き落とされるか、あるいは、その利用に伴う代金の請求書が後日利用者に送付され、利用者は送付されてきた請求書に従って利用代金を支払うことになる。
【０００５】
公共サービスを利用した場合、その利用明細が記載された利用明細書が公共サービスを運営する企業団体から利用者に送付される。この利用明細書には、利用者が利用したサービスの内容やその代金、口座から代金が引き落とされる日等が記載されており、利用者はこの利用明細書を受け取ることにより、公共サービスの利用内容や利用代金等を確認している。また、代金の口座振替を行わない場合は、その代金の請求書や振込用紙が利用明細書とともに利用者に送付され、利用者は、送付されてきた請求書に従って代金を支払ったり、振込用紙を用いて代金を支払ったりすることになる。
【０００６】
上述したような利用明細書は、封筒に封入・封緘されて利用者に郵送される。
【０００７】
近年、利用明細書を封筒に封入・封緘して利用者に郵送する場合、その宛先を封筒に印刷するのではなく、表面の一部が透明フィルムで構成された窓付き封筒を用いて、宛先情報を印刷した用紙を、その宛先情報が封筒の窓から見えるように封入し、その封筒に利用明細書を同封して郵送する場合が増えてきている。
【０００８】
その場合、宛先情報が記載された用紙と、利用明細が記載された利用明細書と、その他、利用者に提供される広告物等との複数の用紙が１つの封筒に封入・封緘されることになる。
【０００９】
図５は、従来の封入・封緘システムの一構成例を示す図である。
【００１０】
本従来例は図５に示すように、広告物が搬送されてくるコンベヤー１１０−１〜１１０−ｎと、利用明細書が搬送されてくるコンベヤー１２０と、利用明細書の宛先情報が記載された用紙（以下、表紙と称する）が搬送されてくるコンベヤー１３０と、コンベヤー１１０−１〜１１０−ｎ上を搬送されてくる広告物とコンベヤー１２０上を搬送されてくる利用明細書とコンベヤー１３０上を搬送されてくる表紙とを予め決められた組み合わせで順次重ね合わせて搬送するコンベヤー１４０と、コンベヤー１４０上にて重ね合わされた用紙が封入される封筒が搬送されてくるコンベヤー１５０と、コンベヤー１４０上にて重ね合わされた用紙をコンベヤー１５０にて搬送されてくる封筒に封入するためのプッシャー１７０と、プッシャー１７０にて用紙が封入された封筒を搬送するコンベヤー１６０とから構成されている。なお、コンベヤー１１０−１〜１１０−ｎ，１２０，１３０上を搬送されてくる広告物や利用明細書、あるいは表紙においては、それぞれ所定のプリンタにて印刷された後、コンベヤー１５０上を搬送されてくる封筒に封入可能な大きさに折りたたまれている。
【００１１】
以下に、上記のように構成された封入・封緘システムにおける封入・封緘方法について説明する。
【００１２】
まず、コンベヤー１１０−１〜１１０−ｎ上を搬送されてきた広告物が順次コンベヤー１４０上に互いに重なり合うように移載され、コンベヤー１４０上を搬送される。ここで、コンベヤー１１０−１〜１１０−ｎ上を搬送されてくる広告物においては、コンベヤー１１０−１〜１１０−ｎ毎に互いに異なるものであり、その組み合わせは後に重ね合わされる利用明細書及び表紙に対応するものとする。
【００１３】
次に、コンベヤー１２０上を搬送されてきた利用明細書が、コンベヤー１４０上を搬送されてきた広告物に重ね合わされるようにコンベヤー１４０上に移載される。ここで、コンベヤー１１０−１〜１１０−ｎ上を搬送されてくる広告物とコンベヤー１２０上を搬送されてくる利用明細書とは、どの利用明細書にどの広告物を同封するかが予め決められており、利用明細書に同封される広告物のみがコンベヤー１１０−１〜１１０−ｎからコンベヤー１４０に移載され、搬送されてくる。
【００１４】
次に、コンベヤー１３０上を搬送されてきた表紙が、コンベヤー１４０上を互いに重ね合わされて搬送されてきた広告物及び利用明細書にさらに重ね合わされるようにコンベヤー１４０上に移載される。ここで、コンベヤー１２０上を搬送されてくる利用明細書とコンベヤー１３０上を搬送されてくる表紙とは、コンベヤー１２０，１３０上を搬送される順序が互いに対応するように制御されており、それにより、コンベヤー１４０上を搬送されてきた利用明細書に、該利用明細書の送付先となる宛先情報が印刷された表紙が重ね合わされることになる。
【００１５】
一方、コンベヤー１５０上においては、コンベヤー１４０上を搬送されてきた用紙が封入される封筒が搬送されてくる。
【００１６】
コンベヤー１１０−１〜１１０−ｎ上を搬送されてきた広告物とコンベヤー１２０上を搬送されてきた利用明細書とコンベヤー１３０上を搬送されてきた表紙とが予め決められた組み合わせで重ね合わされた後、プッシャー１７０によって、封入位置１８０にてコンベヤー１５０上を搬送されたきた封筒に封入される。
【００１７】
その後、コンベヤー１４０上を搬送されてきた用紙が封入された封筒はコンベヤー１６０上を搬送されていき封緘され、利用者に郵送されることになる。
【００１８】
【発明が解決しようとする課題】
しかしながら、上記のように構成された封入・封緘システムにおいては、コンベヤー１２０，１３０上に利用明細書あるいは表紙が搭載される際に利用明細書と表紙とのマッチングが確認されているものの、その後、コンベヤー１４０上に、宛先が異なる２枚以上の利用明細書を移載してしまった場合、コンベヤー１４０上に移載された、宛先が異なる２枚以上の利用明細書に１つの宛先情報が記載された表紙が重ね合わされることになり、利用者に他の利用者の利用明細書が郵送されてしまうという問題点が生じてしまう。
【００１９】
本発明は、上述したような従来の技術が有する問題点に鑑みてなされたものであって、送付先ではない利用者に利用明細書を送付してしまうことを防止することができる封入・封緘方法及び封入・封緘システムを提供することを目的とする。
【００２０】
【課題を解決するための手段】
上記目的を達成するために本発明は、
互いに異なる搬送手段上を搬送されてくる複数の種類の用紙を順次重ね合わせて搬送し、１つの封筒に封入する用紙の全てが重なり合わされた後、該用紙を前記封筒に封入する封入・封緘方法において、
前記複数の種類の用紙を重ね合わせる際に前記用紙の種類毎に前記用紙を所定量だけずらして重ね合わせ、
１つの封筒に封入する用紙の全てが重なり合わされた後、前記所定量に基づいて決められる少なくとも１つの位置における用紙の厚みを検出し、
前記検出された厚みが、前記１つの封筒に封入する用紙に対して予め管理されている厚みと同一である場合にのみ、前記用紙を前記封筒に封入することを特徴とする。
【００２１】
また、前記重ね合わされる用紙の少なくとも１つに、前記１つの封筒に封入する用紙を管理するための管理番号を記載し、
前記１つの封筒に封入する用紙の全てが重なり合わされた後、前記管理番号を読み取り、
前記検出された厚みが、前記読み取られた管理番号に対応して予め管理されている厚みと同一である場合にのみ、前記用紙を前記封筒に封入することを特徴とする。
【００２２】
また、互いに異なる種類の用紙が搬送されてくる複数の第１の搬送手段と、前記複数の第１の搬送手段上を搬送されてきた用紙を順次重ね合わせて搬送する第２の搬送手段と、前記用紙が封入される封筒が搬送されてくる第３の搬送手段と、前記第３の搬送手段上を搬送されてきた封筒に前記第２の搬送手段上を互いに重ね合わされた状態で搬送されてきた前記用紙を封入する封入手段とを少なくとも有してなる封入・封緘システムにおいて、
前記第２の搬送手段上に設けられ、前記用紙を重ね合わせる際に前記用紙の種類毎に前記用紙を所定量だけずらして重ね合わせる移載位置制御手段と、
１つの封筒に封入する用紙の全てが重なり合わされた後、前記所定量に基づいて決められる位置における用紙の厚みを検出する少なくとも１つの検出手段と、前記１つの封筒に封入する用紙の厚みを予め管理し、前記検出手段にて検出された厚みが、前記管理されている厚みと同一である場合にのみ、前記用紙を前記封筒に封入するように前記封入手段を制御する管理手段とを有することを特徴とする。
【００２３】
また、前記重ね合わされる用紙の少なくとも１つに、前記１つの封筒に封入する用紙を管理するための管理番号が記載されており、
前記１つの封筒に封入する用紙の全てが重なり合わされた後、前記管理番号を読み取る読取手段を有し、
前記管理手段は、前記管理番号に対応づけて用紙の厚みを予め管理し、前記検出手段にて検出された厚みが、前記管理番号に対応づけて管理されている厚みと同一である場合にのみ、前記用紙を前記封筒に封入するように前記封入手段を制御することを特徴とする。
【００２４】
また、前記１つの封筒に封入される用紙のうち少なくとも１つは、所定の決済の利用明細書であり、少なくとも１つは前記利用明細書の送付先を示す宛先情報が記載された用紙であることを特徴とする。
【００２５】
（作用）
上記のように構成された本発明においては、互いに異なる第１の搬送手段上をそれぞれ搬送されてきた用紙が第２の搬送手段上にて順次重ね合わされて搬送されていく。ここで、第２の搬送手段上に設けられた移載位置制御手段によって、第２の搬送手段上にて用紙が重ね合わされる際に用紙の種類毎に用紙を所定量だけずらして重ね合わせていく。このようにして１つの封筒に封入する用紙が全て重なり合わされた後、検出手段において、上記所定量に基づいて決められる位置における用紙の厚みを検出する。また、読取手段において、重ね合わされる用紙の少なくとも１つに記載された管理番号を読み取る。管理手段においては、管理番号に対応づけて用紙の所定の位置における厚みが予め管理されており、検出手段にて検出された厚みが、読取手段にて読み取られた管理番号に対応づけられて管理されている厚みと同一である場合のみ、管理手段において封入手段を制御し、第２の搬送手段上を互いに重なり合わされて搬送されてきた用紙を第３の搬送手段上を搬送されてきた封筒に封入し、封緘する。
【００２６】
このように、１つの封筒に封入する用紙が全て重なり合わされた後、その用紙の所定の位置における厚みを検出し、該検出結果に基づいて、予め決められた組み合わせで用紙が重ね合わされているかどうか確認し、予め決められた組み合わせで重ね合わせている場合のみ用紙が封筒に封入されるので、予め決められた組み合わせとは異なる組み合わせで用紙が封筒に封入されることはない。
【００２７】
【発明の実施の形態】
以下に、本発明の実施の形態について図面を参照して説明する。
【００２８】
図１は、本発明の封入・封緘システムの実施の一形態を示す図である。
【００２９】
本形態は図１に示すように、広告物が搬送されてくるコンベヤー１０−１〜１０−ｎと、利用明細書が搬送されてくるコンベヤー２０と、利用明細書の送付先を示す宛先情報が記載された用紙（以下、表紙と称する）が搬送されてくるコンベヤー３０と、コンベヤー１０−１〜１０−ｎ上を搬送されてくる広告物とコンベヤー２０上を搬送されてくる利用明細書とコンベヤー３０上を搬送されてくる表紙とを予め決められた組み合わせで順次重ね合わせて搬送するコンベヤー４０と、コンベヤー４０上にて重ね合わされた用紙が封入される封筒が搬送されてくるコンベヤー５０と、コンベヤー４０上にて重ね合わされた用紙をコンベヤー５０にて搬送されてくる封筒に封入するための封入手段であるプッシャー７０と、プッシャー７０にて用紙が封入された封筒を搬送するコンベヤー６０と、コンベヤー４０上に設けられ、コンベヤー１０−１〜１０−ｎ上を搬送されてきた広告物のコンベヤー４０上への移載位置をそれぞれ制御するストッパー１１−１〜１１−ｎと、コンベヤー４０上に設けられ、コンベヤー２０上を搬送されてきた利用明細書のコンベヤー４０上への移載位置を制御するストッパー２１と、コンベヤー４０上に設けられ、コンベヤー３０上を搬送されてきた表紙のコンベヤー４０上への移載位置を制御するストッパー３１と、コンベヤー４０上を重なり合わされて搬送されてきた用紙の所定のポイントの厚みをそれぞれ検出する検出器９１ａ，９１ｂ，９１ｃと、コンベヤー４０上を搬送されてきた表紙に記載された管理番号を読み取る読取手段であるカメラ９２と、検出器９１ａ，９１ｂ，９１ｃにおける検出結果とカメラ９２にて読み取られた管理番号とに基づいてプッシャー７０の動作を制御する管理部９０とから構成されている。なお、移載位置制御手段であるストッパー１１−１〜１１−ｎ，２１，３１は、第１の搬送手段であるコンベヤー１０−１〜１０−ｎ，２０，３０上を搬送されてきた広告物、利用明細書及び表紙が第２の搬送手段であるコンベヤー４０に移載される際に、広告物、利用明細書あるいは表紙と接触することによりそれらのコンベヤー４０への移載位置を制御するものであり、また、検出器９１ａ，９１ｂ，９１ｃにて厚みを検出するポイントは、ストッパー１１−１〜１１−ｎ，２１，３１によって制御される広告物、利用明細書あるいは表紙のコンベヤー４０への移載位置に基づいて予め決められている。また、コンベヤー１０−１〜１０−ｎ，２０，３０上を搬送されてくる広告物や利用明細書、あるいは表紙においては、それぞれ所定のプリンタにて印刷された後、コンベヤー５０上を搬送されてくる封筒に封入可能な大きさに折りたたまれている。また、第３の搬送手段であるコンベヤー５０上を搬送されてくる封筒は、表面の一部に、内部が目視可能なように透明フィルムで構成された窓が設けられた窓付き封筒であり、コンベヤー４０上を搬送されてきた用紙をこの封筒に封入する際、コンベヤー３０上を搬送されてきた表紙に記載された宛先情報がこの窓から目視可能となるように封入処理が行われる。
【００３０】
以下に、上記のように構成された封入・封緘システムにおける封入・封緘方法について説明する。
【００３１】
図２は、図１に示した封入・封緘システムにおける封入・封緘方法を説明するためのフローチャートである。
【００３２】
まず、コンベヤー１０−１〜１０−ｎ上を搬送されてきた広告物が順次コンベヤー４０上に互いに重なり合うように移載され、コンベヤー４０上を搬送される（ステップＳ１）。ここで、コンベヤー１０−１〜１０−ｎ上を搬送されてくる広告物においては、コンベヤー１０−１〜１０−ｎ毎に互いに異なるものであり、その組み合わせは後に重ね合わされる利用明細書及び表紙に対応するものとする。
【００３３】
コンベヤー１０−１〜１０−ｎ上を搬送されてきた広告物のコンベヤー４０上への移載位置は、ストッパー１１−１〜１１−ｎによって、互いに予め決められた量だけずれる位置になるように制御される。
【００３４】
次に、コンベヤー２０上を搬送されてきた利用明細書が、コンベヤー４０上を搬送されてきた広告物に重ね合わされるようにコンベヤー４０上に移載される（ステップＳ２）。なお、コンベヤー２０上を搬送されてきた利用明細書のコンベヤー４０上への移載においても、広告物のコンベヤー４０への移載と同様に、ストッパー２１によって、コンベヤー４０上を搬送されてきた広告物に対して所定量だけずれるように制御される。
【００３５】
次に、コンベヤー３０上を搬送されてきた表紙が、コンベヤー４０上を搬送されてきた広告物及び利用明細書に重ね合わされるようにコンベヤー４０上に移載される（ステップＳ３）。ここで、コンベヤー３０上を搬送されてくる表紙においては、同封される利用明細書の送付先を示す宛先情報の他に、この封書を管理するための管理番号が記載されている。
【００３６】
図３は、図１に示した封入・封緘システムに用いられる、宛先情報が記載された用紙の一例を示す図である。
【００３７】
本形態にて用いられる、宛先情報が記載された用紙には、同封される利用明細書の送付先を示す宛先情報１と、この封書を管理するための管理番号２とが記載されている。
【００３８】
コンベヤー３０上を搬送されてきた表紙のコンベヤー４０上への移載は、ストッパー３１によって、広告物及び利用明細書に対して所定量だけずれるように制御される。
【００３９】
コンベヤー４０上にて重ね合わされ、搬送される用紙においては、コンベヤー３０上を搬送されてきた表紙に記載された宛先情報に対応してどの広告物を同封するかが予め決められており、同封する広告物のみが、表紙及び利用明細書に重ね合わされている。
【００４０】
一方、コンベヤー５０上においては、コンベヤー４０上を搬送されてきた用紙が封入される窓付き封筒が搬送されてくる。
【００４１】
コンベヤー１０−１〜１０−ｎ上を搬送されてきた広告物とコンベヤー２０上を搬送されてきた利用明細書とコンベヤー３０上を搬送されてきた表紙とが予め決められた組み合わせで、かつ、それぞれに互いに所定量だけずれるように重ね合わされた後、検出器９１ａ，９１ｂ，９１ｃにおいて、コンベヤー４０上を搬送されてきた用紙の厚みが検出される（ステップＳ４）。なお、本形態における厚み検出は、用紙の所定のポイントをエアシリンダを用いて上方から押圧することによって行うものとする。
【００４２】
図４は、図１に示した検出器９１ａ，９１ｂ，９１ｃにおける用紙の厚み検出処理の詳細を説明するための図であり、（ａ）は封入される用紙が４枚である場合を示す図、（ｂ），（ｃ）は封入される用紙が４枚である場合にて５枚の用紙が重ね合わされてしまった状態を示す図である。なお、以下の説明においては、簡単のために、コンベヤー１０−１〜１０−ｎ上を搬送されてきた広告物、コンベヤー２０上を搬送されてきた利用明細書及びコンベヤー３０上を搬送されてきた表紙をそれぞれ１枚ずつの折りたたんでいない状態の用紙とする。
【００４３】
本来、コンベヤー１０−１上を搬送されてきた広告物１２−１と、コンベヤー１０−２上を搬送されてきた広告物１２−２と、コンベヤー２０上を搬送されてきた利用明細書２２と、コンベヤー３０上を搬送されてきた表紙３２とが１枚ずつ同封されるものとする。
【００４４】
その場合、図４（ａ）に示すように、検出器９１ａにてポイントＡの厚みを検出すると１枚分の厚みが検出され、また、検出器９１ｂにてポイントＢの厚みを検出すると２枚分の厚みが検出され、また、検出器９１ｃにてポイントＣの厚みを検出すると４枚分の厚みが検出されることになる。なお、検出器９１ａにおける検出位置であるポイントＡは、ストッパー１１−１による広告物のコンベヤー４０への移載位置とストッパー１１−２による広告物のコンベヤー４０への移載位置とに基づいて決められ、また、検出器９１ｂにおける検出位置であるポイントＢは、ストッパー１１−２による広告物のコンベヤー４０への移載位置とストッパー１１−３による広告物のコンベヤー４０への移載位置とに基づいて決められ、また、検出器９１ｃにおける検出位置であるポイントＣは、ストッパー３１による表紙のコンベヤー４０への移載位置に基づいて決められる。この検出位置においては、上述した例に限らず、ストッパー１１−１〜１１−ｎ，２１，３１による用紙のコンベヤー４０への移載位置に基づいて任意に決めることができる。
【００４５】
ところが、コンベヤー２０上を搬送されてきた利用明細書が２枚コンベヤー４０に移載されてしまった場合は、検出器９１ａにてポイントＡにおける厚みが１枚と検出され、また、検出器９１ｂにてポイントＢにおける厚みが２枚と検出され、検出器９１ｃにてポイントＣの厚みが５枚と検出されることになる。
【００４６】
また、コンベヤー１０−２上を搬送されてきた広告物が２枚コンベヤー４０に移載されてしまった場合は、検出器９１ａにてポイントＡにおける厚みが１枚と検出され、また、検出器９１ｂにてポイントＢにおける厚みが３枚と検出され、検出器９１ｃにてポイントＣの厚みが５枚と検出されることになる。
【００４７】
これら検出器９１ａ，９１ｂ，９１ｃにおける検出結果は管理部９０に送られる。
【００４８】
次に、カメラ９２にてコンベヤー４０上を搬送されてきた用紙のうちコンベヤー３０上を搬送されてきた表紙に記載された管理番号が読み取られ、管理部９０に送られる（ステップＳ５）。
【００４９】
管理部９０においては、コンベヤー３０上を搬送されてきた表紙に記載された管理番号に対応して、検出器９１ａ，９１ｂ，９１ｃにて設定されるポイント毎の厚み情報が予め管理されている。例えば、図４に示した例においては、ポイントＡにおける厚みは１枚分であり、ポイントＢにおける厚みは２枚分であり、ポイントＣにおける厚みは４枚分であることが予め管理されている。検出器９１ａ，９１ｂ，９１ｃにおける検出結果とカメラ９２における読み取られた管理番号とに基づいて、１つの封筒に封入されるべき表紙、利用明細書及び広告物が正確に組み合わされているかどうかが判断される（ステップＳ６）。
【００５０】
管理部９０において、１つの封筒に封入されるべき表紙、利用明細書及び広告物が正確に組み合わされていると判断された場合、管理部９０の制御によってプッシャー７０が駆動し、コンベヤー４０上を搬送されてきた用紙が封入位置８０にてコンベヤー５０上を搬送されてきた封筒に封入される（ステップＳ７）。その際、コンベヤー３０上を搬送されてきた表紙に記載された宛先情報が、封筒に設けられた窓から目視可能となるように封入処理が行われる。
【００５１】
また、管理部９０において、１つの封筒に封入されるべき表紙、利用明細書及び広告物が正確に組み合わされていないと判断された場合は、プッシャー７０が駆動せず、エラーが出力される（ステップＳ８）。
【００５２】
その後、コンベヤー４０上を搬送されてきた用紙が封入された封筒はコンベヤー６０上を搬送されていき封緘され、封筒の窓から目視可能な宛先情報に基づいて利用者に郵送されることになる。
【００５３】
なお、本形態においては、コンベヤー４０上を搬送されてくる用紙の厚みを検出するための検出器を３つ設け、所定の３つのポイントで用紙の厚みを検出しているが、用紙の厚みを検出するポイントは３つに限らず少なくとも１つあればよい。
【００５４】
また、本形態においては、コンベヤー４０上を搬送されてくる用紙が封入される封筒を窓付き封筒とし、該窓付き封筒に、宛先情報が記載された表紙を、窓から宛先情報が目視可能なように封入する例を説明したが、宛先情報が記載された窓無し封筒に用紙を封入するものであっても本発明を適用できることは言うまでもない。
【００５５】
【発明の効果】
以上説明したように本発明においては、互いに異なる第１の搬送手段上をそれぞれ搬送されてきた用紙が第２の搬送手段上にて順次重ね合わされる際、第２の搬送手段上に設けられた移載位置制御手段によって、用紙の種類毎に用紙を所定量だけずらして重ね合わせていき、その後、検出手段において、上記所定量に基づいて決められる位置における用紙の厚みを検出し、また、読取手段において、重ね合わされる用紙の少なくとも１つに記載された管理番号を読み取り、検出手段にて検出された厚みが、読取手段にて読み取られた管理番号に対応づけられて管理されている厚みと同一である場合のみ、第２の搬送手段上を互いに重なり合わされて搬送されてきた用紙を第３の搬送手段上を搬送されてきた封筒に封入し、封緘する構成としたため、１つの封筒に封入する用紙が全て重なり合わされた後、予め決められた組み合わせで用紙が重ね合わされているかどうか確認し、予め決められた組み合わせで重ね合わせている場合のみ用紙が封筒に封入されることになり、予め決められた組み合わせとは異なる組み合わせで用紙が封筒に封入されることを防止することができ、所定の決済の利用明細書と該利用明細書の送付先を示す宛先情報が記載された用紙とが同封されて利用者に送付されるものにおいては、送付先ではない利用者に他の利用者の利用明細書を送付してしまうことを防止することができる。
【図面の簡単な説明】
【図１】本発明の封入・封緘システムの実施の一形態を示す図である。
【図２】図１に示した封入・封緘システムにおける封入・封緘方法を説明するためのフローチャートである。
【図３】図１に示した封入・封緘システムに用いられる、宛先情報が印刷された用紙の一例を示す図である。
【図４】図１に示した検出器における用紙の厚み検出処理の詳細を説明するための図であり、（ａ）は封入される用紙が４枚である場合を示す図、（ｂ），（ｃ）は封入される用紙が４枚である場合にて５枚の用紙が重ね合わされてしまった状態を示す図である。
【図５】従来の封入・封緘システムの一構成例を示す図である。
【符号の説明】
１    宛先情報
２    識別情報
１０−１〜１０−ｎ，２０，３０，４０，５０，６０    コンベヤー
１１−１〜１１−ｎ，２１，３１    ストッパー
７０    プッシャー
８０    封入位置
９０    管理部
９１ａ，９１ｂ，９１ｃ    検出器
９２    カメラ
【図１】
0004445117.tif 000002
【図２】
0004445117.tif 000003
【図３】
0004445117.tif 000004
【図４】
0004445117.tif 000005
【図５】
0004445117.tif 000006